(57)【要約】      （修正有）【課題】周知の写真撮影場所で撮影された写真のコンテンツに関するデジタルデータを取得可能な写真システムにおいて、簡易に拡張画像製品を作成可能とする。【解決手段】所定の位置にある１つ以上の周知の写真撮影場所の写真から拡張写真を作り、カメラマンに興味のあるコンテンツを提示する写真システムについて説明される。本システムは、（ａ）写真撮影場所に関するコンテンツを含むデータベースと、（ｂ）写真撮影場所の画像を撮影するカメラと、（ｃ）撮影した画像を写真撮影場所の位置に関連付け、それによって画像の位置を識別するプロセッサであって、写真撮影場所に関するデータベースの選択されたコンテンツにアクセスするために画像の位置を用いるプロセッサと、（ｄ）拡張画像製品を作る製品生成装置とを有する。【選択図】図１
2004289825.tif 000002
【特許請求の範囲】
【請求項１】
所定の位置にある１つ以上の周知の写真撮影場所の写真から拡張写真を作り、カメラマンに興味のあるコンテンツを提示する写真システムであって、
写真撮影場所に関するコンテンツを含むデータベースであって、前記コンテンツが写真撮影場所に関する画像コンテンツを有するデータベースと、
写真撮影場所の画像を撮影するカメラと、
撮影した画像を写真撮影場所の位置に関連付け、それによって画像の位置を識別するプロセッサであって、写真撮影場所に関するデータベースの選択されたコンテンツにアクセスするために画像の位置を用いるプロセッサと、
写真撮影場所に関する画像コンテンツと写真撮影場所の撮影された画像とを組み合わせ、新しい画像製品を作ることによって、拡張画像製品を作る製品生成装置と
を有する写真システム。
【請求項２】
所定の位置にある１つ以上の周知の写真撮影場所の写真から拡張写真を作り、カメラマンに興味のあるコンテンツを提示する写真システムであって、
写真撮影場所に関するコンテンツを含むデータベースと、
写真撮影場所の画像を撮影するカメラと、
撮影した画像を写真撮影場所の位置に関連付け、それによって画像の位置を識別するプロセッサであって、写真撮影場所に関するデータベースの選択されたコンテンツにアクセスするために画像の位置を用いるプロセッサと、
写真撮影場所に関する選択された画像を利用し、自動的に画像を調整し、それによって写真の内容又は画像の表現を修正することによって、画像から拡張画像製品を作る製品生成装置と
を有する写真システム。
【請求項３】
所定の位置にある１つ以上の周知の写真撮影場所の写真から拡張写真を作り、カメラマンに興味のあるコンテンツを提示する写真システムであって、
写真撮影場所に関するコンテンツを含むデータベースであって、前記コンテンツが写真撮影場所の写真の内容に関する参照画像を有するデータベースと、
写真撮影場所の画像を撮影するカメラと、
撮影した画像を１つ以上の参照画像の写真の内容に関連付け、それによって撮影した画像の位置を識別するプロセッサであって、写真撮影場所に関するデータベースの選択されたコンテンツにアクセスするために画像の位置を用いるプロセッサと、
写真撮影場所に関する選択されたコンテンツを利用することによって、撮影した写真から拡張画像製品を作る製品生成装置と
を有する写真システム。
【発明の詳細な説明】
【技術分野】
【０００１】
本発明は、概して写真撮影の分野に関するものであり、特に周知の写真撮影場所で撮影された写真のコンテンツに関するデジタルデータを取得可能な写真システムに関するものである。更に具体的には、本発明は、前記の場所で撮影された画像から拡張写真製品を製造するために取得されたデータを利用する方法に関するものである。
【背景技術】
【０００２】
テーマパークや国立公園の所定の美しい撮影場所のような周知の（又は指定された）写真撮影場所を訪れる間に従来の（フィルムの）カメラ又はデジタルカメラを用いて、カメラマン、特にアマチュア又は一般消費者のカメラマンによって写真が撮影される場合に、訪問の記念（アルバム、インタラクティブＣＤ、ＤＶＤ等）を作るために画像を特定し、自動的に拡張することが望ましい。主要な成功要因は、消費者が画像を撮影した撮影場所の位置を知ることと、その場所についての情報（例えば、音声、グラフィック、視覚、及び／又はテキストの記述情報）を有することである。
【０００３】
従来の（フィルム）カメラ、電子カメラ、又はビデオカメラが、写真フィルムに画像情報を記録すること、又は電子メモリに情報を保存することが可能であることは技術的に周知である。前述の写真撮影場所について直面されるような、低出力の持ち運んでいる環境においてデータを送受信するために、無線トランシーバーが使用され得ることもまた、技術的に周知である。このような装置の例は、米国特許第４，９５７，３４８号に示されており、その文献にはＩＲ送受信機を含む低出力の光学トランシーバーについて説明されている。デジタルカメラもまた、画像と共に追加情報を保存することができる。前記の機能を備えるデジタルカメラの例は、コダックＤＣＳ４６０デジタルカメラであり、デジタル画像と共に音声の注釈とＧＰＳ（グローバル・ポジショニング・システム）パラメータを保存することができる。更に、イーストマン・コダック社及びその他によって販売されているアドバンスト・フォト・システム（Ａｄｖａｎｃｅｄ  Ｐｈｏｔｏ  Ｓｙｓｔｅｍ）（商標）は、Ａｄｖａｎｔｉｘ（商標）と称される写真フィルムを用い、カメラがフィルムの裏の透明な磁気レイヤにデジタル情報を保存することを可能にする。この機能は同一出願人による米国特許第５，１９４，８９２号に開示されており、その文献はまた、カメラのユーザや現像者のようなフィルムのユーザのための情報交換システムについても開示する。
【０００４】
米国特許第５，２９６，８８４号において、静止ビデオカメラ又はフィルムカメラが、無線の情報源からＧＰＳ信号のような位置座標を受信し、その情報を都市の名前のような地名に変更できることが開示されている。都市の名前はビデオ画像と共に保存される、又はフィルムに記録される。その特許は、地名に加えて、都市の名前の由来やその地域の特産品のような場所に関する多様なデータを保存する可能性を暗示する。更に、例えば観光地や施設において場所に関するコードを直接カメラに送信するローカルの送信ステーションが設置され得る。米国特許第５，４７９，２２８号において、カメラシステムが“明けましておめでとう”や、“誕生日おめでとう”のような一連の任意的な言葉を保存するメモリを有し、Ａｄｖａｎｔｉｘ（商標）の磁気レイヤに保存され、その後の処理動作中に写真に印刷され得る。
【０００５】
同一出願人による米国特許第５，７６８，６３３号は、特にトレードショーで用いる写真及びデータ送信システムについて開示する。無線通信システムが、製品名や、会社名や、価格や、インターネットでの製品の情報源のＵＲＬアドレス等のように、展示されている製品に関する無線の情報を送信するためにトレードショーのブースに設置される。そのシステムの他の部分には、無線伝送を受信可能なカメラがある。カメラがブースの近くに来て、製品の画像を撮影すると、カメラからの起動信号によってトレードショーのブースから無線信号の送信を開始する。カメラは画像と共に製品データを保存する、又はインターネットを介してユーザに更なる情報を示すＵＲＬアドレスを保存する。
【０００６】
欧州特許明細書第ＥＰ０  ６４０  ９３８  Ｂ１は、アミューズメントパークのゲストのための静止画像又は映像コレクションを作ることを目的としたパーソナル化された画像記録システムについて説明する。各ゲストは、そのゲストに身に付けられた読み取り可能タグの形式の固有の識別子に関連付けられる。タグがアトラクションの近くに来ると、タグがアトラクションに設置されたカメラを起動し、例えばゲストの画像を撮影する。通信ネットワークがカメラ及びタグ読取装置と中央制御システムとを相互接続し、前記中央制御システムが撮影された画像と他の事前に記録された持ち合わせの場面を含む画像のコレクションを作る。ゲストの好みに従って、中央制御システムが画像をアミューズメントパークの訪問の経験を撮影したコレクションに整列する。
【０００７】
同一出願人による米国特許第６，３９６，５３７号において、写真システムが、ユーザとの双方向通信が可能な場面の位置、例えば訪問者のアトラクション場所に関するデータを利用することが開示されている。アトラクション場所がその場所に関するコンテンツデータを保存しており、ユーザが前記の通信が可能なカメラを通じてアトラクションの場所と通信を行う。その場所に関する画像を撮影する他に、カメラはユーザの関心をコンテンツデータに関連付ける所定の個人データを保存し、その個人データをアトラクション場所に転送する手段を有する。カメラはまた、ユーザの好みに関連してアトラクション場所からコンテンツデータの一部を受信して表示する手段と、表示されたコンテンツデータからユーザが保持することを望む部分を選択するユーザインタフェースとを有する。このように、写真撮影された項目についてのユーザの関心に関連する情報が容易に要求でき、アクセスでき、ユーザが撮影した特定の写真と共に保存できる。
【０００８】
米国特許第６，３３７，９５１号において、写真撮影が行われる可能性の高い動物園の特定の動物の檻のような指定された場所にデータ発信機が設置される。データ発信機は、指定された場所に関する場所のＩＤのような写真データを発信する。データ発信機から写真データを受信する受信機と、写真データを保存するデータ保存装置とが、カメラに組み込まれる。指定された場所でカメラで撮影された画像に関連して、写真データがデータ保存装置に書き込まれる。その後、写真データがカメラから取り出され、被写体の名前や歴史のような場面に対応するデータにアクセスするために用いられる。場面のデータは、電子アルバムや、画像のデータベースや、印刷データに用いられ得る。
【０００９】
従って、周知の場所で写真を撮影し、その場所について集められたコンテンツが存在する場合には、写真が撮影された場所及び時間についての情報と集められたコンテンツ情報との組み合わせにより、提示される画像とその方法の双方を拡張することが可能になる。特に、デジタルカメラ又はフィルムに撮影されたデジタル形式の画像のいずれかによって撮影されたデジタル画像が、マルチメディアのファイルを作るために用いられ得る。前記のファイルが、静止画像と、テキストやグラフィックや音声や映像のような他の形式のデータとを結合する。マルチメディアファイルを作るために必要な外部のデジタル情報を集めることは時間のかかる処理である。インターネットとワールド・ワイド・ウェブは、その処理を更に早くしたが、マルチメディアのファイルに有用なコンテンツのほとんどは版権があり、インターネットサイトで容易に利用できない。更に、ユーザは情報を集めるためにマルチメディアコンピュータが必要になる。ユーザはまた、その情報サイトのＵＲＬアドレスを指定する必要もある。
【００１０】
現在のシステムの欠点は、情報の過負荷と必要とされる処理にあり、すなわち、大量の情報が、例えばテーマパークや国立公園の場所への訪問のような特定のイベントに関する記録を作ろうとする一般ユーザを苦しめる場合がある。更に、拡張写真製品を作る際に含まれる処理は通常の消費者の能力（及び時間と関心）を問題とする。ユーザの関心に関連する情報が写真撮影された項目について容易に要求でき、アクセスできるような、現代のカメラの情報処理機能と画像の記録とを組み合わせる便利な方法を見つけることが望ましい。このことは、消費者に最小限の影響で拡張写真製品をもたらすであろう。
【特許文献１】米国特許第４，９５７，３４８号
【特許文献２】米国特許第５，１９４，８９２号
【特許文献３】米国特許第５，２９６，８８４号
【特許文献４】米国特許第５，４７９，２２８号
【特許文献５】米国特許第５，７６８，６３３号
【特許文献６】欧州特許明細書第ＥＰ０  ６４０  ９３８  Ｂ１
【特許文献７】米国特許第６，３９６，５３７号
【特許文献８】米国特許第６，３３７，９５１号
【特許文献９】米国特許第６，２８８，７１９号
【特許文献１０】米国特許第６，３６２，９００号
【発明の開示】
【発明が解決しようとする課題】
【００１１】
現在のシステムの欠点は、情報の過負荷と必要とされる処理にあり、すなわち、大量の情報が、例えばテーマパークや国立公園の場所への訪問のような特定のイベントに関する記録を作ろうとする一般ユーザを苦しめる場合がある。更に、拡張写真製品を作る際に含まれる処理は通常の消費者の能力（及び時間と関心）を問題とする。
【００１２】
本発明は、前述の１つ以上の問題を克服することを目的とする。
【課題を解決するための手段】
【００１３】
要約すると、本発明の一形態により、所定の位置にある１つ以上の周知の写真撮影場所の写真から拡張写真を作り、カメラマンに興味のあるコンテンツを提示する写真システムについて説明される。本システムは、（ａ）写真撮影場所に関するコンテンツを含むデータベースと、（ｂ）写真撮影場所の画像を撮影するカメラと、（ｃ）撮影した画像を写真撮影場所の位置に関連付け、それによって画像の位置を識別するプロセッサであって、写真撮影場所に関するデータベースの選択されたコンテンツにアクセスするために画像の位置を用いるプロセッサと、（ｄ）拡張画像製品を作る製品生成装置とを有する。１つの実施例において、データベースは写真撮影場所に関する持ち合わせの画像を有しており、製品生成装置は写真撮影場所のコンテンツに関する持ち合わせの画像と写真撮影場所の撮影された画像とを組み合わせ、新しい画像製品を作る。
【００１４】
周知の写真撮影場所と場所に関する有用なコンテンツとを関連付ける本発明の機能に基づいて、一般消費者に拡張製品、すなわち場所への訪問の大切な記念（例えば、アルバム、インタラクティブＣＤ、ＤＶＤ等）を提供するという本発明の利点がある。
【００１５】
本発明の前記及び他の形態と目的と機能と利点が、添付の図面を参照することにより、以下の好ましい実施例と特許請求の範囲の詳細な説明から更に明白に理解できるであろう。
【発明の効果】
【００１６】
本発明は、前述の１つ以上の問題を克服することができる。
【発明を実施するための最良の形態】
【００１７】
特定の場所に関するデータ収集を使用する写真システムは周知であるため、本説明は、本発明によるシステムと方法の部分を構成する要素、又はそれと直接協調する要素を特に対象とする。ここで特に示されていない要素又は説明されていない要素は技術的に周知のものから選択され得る。説明される実施例の特定の形態はソフトウェアで提供される場合がある。以下の資料における本発明に従って示され、説明されるシステムと方法を考慮すると、本発明の実施に有用なソフトウェアは特にここで示され、説明され、又は示唆されていないが、形式的であり、その技術における通常の知識の範囲内である。
【００１８】
更に、ここで用いられる通り、コンピュータプログラムは、コンピュータ読み取り可能保存媒体に保存される場合があり、それは、例えば磁気ディスク（ハードドライブ又はフロッピー（登録商標）ディスク等）や磁気テープのような磁気保存媒体、光学ディスクや光学テープや機械読み取り可能バーコードのような光学保存媒体、ランダムアクセスメモリ（ＲＡＭ）や読み取り専用メモリ（ＲＯＭ）のような半導体電子保存装置、又はコンピュータプログラムを保存するために使用される何らかの他の物理装置若しくは媒体を有する場合がある。
【００１９】
自然美、特異性又は歴史的重要性のために人々を引き付け、ここでは写真撮影場所又はアトラクション場所と称される位置が存在する。しばしば前記の引き付けることにより、その場所で写真を撮影することが行われる。その場所の重要性の詳細はある種の標識やキオスクにしばしば記されている。前記の詳細を記憶する助けのために、標識の写真を撮影する人もいる。しかし、場所についての多くの情報は失われる（又はほとんどの詳細が示されていない及び／又は稀にしか更新されないため、単に知られることがない）。
【００２０】
ここで説明される発明は、前記の場所で必要な情報を自動的に取得する方法とシステムを開示し、その情報が追加の媒体（映画と写真と音声とそれと同様のもの）を駆動することを可能にし、旅行／出来事のデジタルの回想に自動的に取り付けられ、あるいはアルバム若しくは個々の写真を拡張することを可能にする。その情報は、その記念（スクラップブック、ウェブサイト、従来のアルバム等）を拡張するために個人によって利用され得る。
【００２１】
ここで示される実施例は、場所に関する情報を集める多様な技術を利用する。１つの技術は、ＧＰＳ（グローバル・ポジショニング・システム）の使用に基づき、場合によって電子コンパスと共に位置情報を収集する。無線周波数（ＲＦ）、赤外線（ＩＲ）及び画像識別方法もまた、位置情報を収集するために用いられ得る。ＧＰＳ装置を用いて、画像の撮影時における個人の位置（及びコンパスによりカメラが示している方向）が決定され得る。現像者が、例えば撮影時に基づく位置情報に画像を関連付ける手段によって、前記情報にアクセスすると、位置に対応するコンテンツがユーザのために生成される出力に加えられ得る。同様に、ＲＦ又はＩＲ送信機が写真撮影場所に設置され、ユーザの所有しているカメラ又は他の装置が送信されたデータを取得可能である場合には、そのデータから位置が決定され得る。
【００２２】
画像認識方法の１つの利点は、カメラに何らかの追加のハードウェア又はソフトウェアが必要ないということである。しかし、前述の通り、画像識別が使用されない場合には、ＧＰＳ、ＲＦ、ＩＲ、又は同様の技術が、必要なタスクを実行する必要のある追加情報を提供し得る。しかし、ほとんどのカメラはいずれにしても前記の技術が備えられていない。従って、本発明はまた、標準的な３５ｍｍの使いきりカメラが位置を決定し、フィルムの特定のフレームにそれを関連付けるために必要な手段を備えることを可能にするための手段を提供する。
【００２３】
撮影された画像の位置を直接決定する構造が存在しなくても、ユーザによって撮影された画像は、画像分析と関連付けのために現像者に提示され得る。例えば、現像者又はその代理店は、同じ写真撮影場所に対応する専門の一式の画像を以前に撮影している、又はそれにアクセスしている場合がある。その専門の一式が比較の基礎として用いられ、ユーザの画像の撮影場所が決定され得る。複数のユーザの画像の形態が専門の一式との“類似度”の決定のために分析され得る。類似を検出する１つの技術は、専門の画像からユーザの画像を差し引き、差分の画像を作るアルゴリズムを使うことである。画像が類似する場合には、差分の画像のヒストグラムは多くの部分の値がゼロ近くを示す。そのアルゴリズムが高度の類似があることを決定すると、撮影場所が合致するものと考えられ、追加のコンテンツが出力に加えられ、ユーザの画像の価値と画像の経験を増加させることができる。その他、訓練された操作者は、ユーザの画像と専門の一式の画像を比較し、それによって、ユーザの画像の位置を決定する。この方法の特徴として、合致することが、特定の写真撮影場所の位置に関する画像を含む保存コンテンツの一部を識別するために用いられ得る。このことは、調査され、処理されなければならないコンテンツの量を減少させることに有用である。
【００２４】
図１を参照すると、１つ以上の周知の写真撮影場所が識別され得る位置データを追加で取得可能なカメラによって撮影された写真から、拡張製品を作る写真システムが示されている。各写真撮影場所はカメラマンに関心のあるコンテンツを表す所定の場所に定められている。写真システムは、写真撮影場所の画像を撮影し、写真撮影場所の位置に画像を関連付ける位置データを取得するための取得サブシステム１０を有し、それによって画像の位置を識別する。写真システムは、写真撮影場所に関するコンテンツを含むデータベース１４を有する処理サブシステム１２と、画像の位置を用いて写真撮影場所に関するデータベース１４で選択されたコンテンツにアクセスするデジタルプロセッサ１６とを更に有する。処理サブシステム１２は、写真撮影場所に関する選択されたコンテンツを利用することによって、画像から拡張画像製品１８を作る。
【００２５】
取得サブシステム１０は、写真が撮影される可能性のある周知の写真撮影場所又はアトラクション場所２０ａ、２０ｂ、２０ｃで画像を撮影し、追加で位置データが決定され、取得され得る。前記アトラクション場所は、例えばテーマパークやアミューズメントパークやスポーツ施設や国立公園の場所やそれと同様のものの中でユーザがアクセス可能な視点が含まれ、変わる場合があり、また広がる場合がある。１つの実施例において、各アトラクション場所は、取得サブシステム１０に位置データを送信する無線通信ステーション２２ａ、２２ｂ、２２ｃを有する。位置データは、記録部２３の画像データと組み合わされ、例えばメモリカードのデジタルプロセッサ１６に配信される。位置データが、コンテンツデータベース１４の位置のコンテンツ説明と合致する。デジタルプロセッサ１６は、選択されたコンテンツ説明を製品構成装置１５に配信し、ユーザ／カメラマンからの製品に関する選択にアクセスし得る。製品は、ユーザ及び／又は処理サブシステム１２の操作者によってレビューされるためにモニター１７に表示され得る。例えば、モニター１７上の製品の画像は、オプションの最終出力の製品の電子確認としての役割を果たす場合があり、ユーザが画像を変更するために入力し得る。この段階で場所の識別が与えられると、可能性のある選択肢のメニューがユーザに提示され、その特定の場所に適切になる。選択された製品は、実行プロセッサ１９に適用され、そこで拡張画像製品１８を作る。前記製品は、前述の通り、一式のプリント１８ａ、アルバム１８ｂ、ＣＤ又はＤＶＤ１８ｃ、又はオンライン製品１８ｄを含む多様な形式をとる場合があり、各製品は撮影された画像と共にデータベース１４からのコンテンツを表示する。
【００２６】
取得サブシステムはカメラ２４を有する。好ましくは、カメラ２４は、図２のブロック図に示されるデジタルカメラ２４ａ、又は図３のブロック図に示されるＡｄｖａｎｔｉｘ（商標）フィルムカメラ２４ｂのいずれかであるが、携帯電話又は携帯情報端末（ＰＤＡ）に組み込まれたデジタルカメラやそれと同様のもののような、他の撮影装置も制限なく含まれる。図２と図３に示す通り、双方の形式のカメラは、図１に示すようにアトラクション場所を含む視野２８ａを有するレンズ部２８を通じてアトラクション場所の画像を撮影する。図２に示す通り、各アトラクション場所の無線通信ステーション２２は、アンテナ２６で信号を交換する無線トランシーバー２５を有する。位置メモリ２７は位置データを無線トランシーバー２５に供給する。その他、ステーションは、アトラクション場所を示すデータでコード化された無線周波数識別（ＲＦＩＤ）タグ（図示なし）を有し得る。カメラはＲＦＩＤタグの近くで起動されるＲＦＩＤ呼びかけ信号部を有する。ステーション２２の前記送信機能を考慮すると、アトラクション場所２０は、特に位置ＩＤを特定のユーザに送信することによって“通信場”としての役割をする。
【００２７】
カメラ２４ａと２４ｂの双方は、ステーション２２と通信するトランシーバーステーション３０を有する。双方のカメラはまた、画像を撮影することの要求のようなユーザコマンドをカメラに送信するユーザインタフェース３１と、マイクロプロセッサ４２やロジック制御部３８のようないくつかの形式の処理様式とを有する。図３の１つの実施例に更に詳細に示す通り、トランシーバー部３０は、従来のＩｒＤＡインタフェース３６を通じてロジック制御部３８に接続された赤外線発信装置３２と赤外線検出装置３４とを有する場合がある。デジタルカメラ２４ａのトランシーバー部３０はまた、図３に示すＩＲ発信装置・検出装置システムを有する場合がある。その他、双方のカメラは、無線周波数（ＲＦ）トランシーバーシステム又はＲＦＩＤタグに基づくシステムのような他の形式のトランシーバーを有する場合がある。図２に示すデジタルカメラについて、トランシーバー信号は通信プロセッサ４０とマイクロプロセッサ４２との間で相互に通信が行われる。
【００２８】
図２を参照すると、電化結合素子（ＣＣＤ）画像センサー４４でレンズ部２８が画像に焦点を合わせ、撮影された画像から画像信号を生成する。画像信号はＡ／Ｄ変換器４６によってデジタル信号に変換され、マイクロプロセッサ４２で処理され、メモリ４８に保存される。メモリ４８は、メモリカードや小型ハードドライブカードのような取り外し可能メモリを含む何からの従来の形式を有する場合がある。画像に関するコンテンツデータと同様に、画像信号は液晶ディスプレイ（ＬＣＤ）５０上で見られる。更なる機能として、ユーザを記述する個人データが個人ファイル５２に保存される場合があり、詳細には前述の米国特許第６，３９６，５３７号に示され、その文献が参照として取り込まれる。個人データは、ユーザの１つ以上の関心をコンテンツデータベース１４のコンテンツデータの少なくとも一部に関連付ける。
【００２９】
図３に示すフィルムカメラ２６の場合、レンズ部２８が感光フィルム５４上で画像を形成する。好ましくは、フィルム５４は、磁気部５６を含むＡｄｖａｎｔｉｘ（商標）フィルムであり、個人データとトランシーバー部３０によって受信された追加データとを保存し得る。磁気部５６への記録は、フィルム５４が動作中に、例えば露光の間のフィルム送りの間に記録が行われるように動作制御インタフェース５８と協調される。図３に示すフィルムカメラについて、処理サブシステム１２は、フィルムを現像して検査する写真現像機能を有する場合があり、あるいは、前記現像と検査がいくつかの付属施設で提供される場合がある。
【００３０】
デジタルカメラ２４ａ又はフィルムカメラ２４ｂがアトラクション場所の通信範囲に持ち込まれ、その場所で写真が撮影されると、カメラと対応する無線通信ステーションとの間で無線リンク６０を介して交換が行われる。特に、位置データがカメラ２４ａ又は２４ｂにアップロードされ、その場所の識別を定めるために最終的に処理される。双方の形式のカメラについて、撮影された画像は、画像記録メモリ（デジタルカメラ２４ａのメモリ４８又はフィルムカメラ２４ｂのＡｄｖａｎｔｉｘ（商標）フィルム）に保存され、選択されたコンテンツデータは、メモリ４８又はフィルム５４の磁気部５６に保存され、画像に追加される、又は関連付けられる。このシステムの一般的な使用において、ユーザがユーザインタフェース３１で撮影解除を起動し、各カメラが選択された画像を撮影し、位置データがカメラによって取得される。特に、ユーザが実際に画像を撮影するまで、位置データはカメラによって通常取得されない。このことは、ユーザがカメラとアトラクション場所との間のデータ転送を全く起動せずに、カメラを向けて画像を構成することを可能にする。従って、必ずしもそうとは限らないが、画像の撮影とデータ転送が通常は実質的に同時に生じる。フィルムカメラ２４ｂでは、選択されたデータがいくらか後で、例えばフィルム送りのときに画像データに加えられる。デジタルカメラでは、データ転送が画像の撮影と同時に関連するデータを加えることをもたらす。（特に開示されていないが、本発明の機能が無効になるように、カメラはモード切替又はそれと同様のものを有する場合があり、カメラとアトラクション場所との間の何らかの通信を起動せずに従来どおり画像を撮影する走査を行うことができることがわかる。）
図１の一部を参照する第２の実施例において、１つ以上のＧＰＳ衛星６２のようなＧＰＳ（グローバル・ポジショニング・システム）の情報源から位置データが取得され得る。この実施例において、ＧＰＳ受信機がカメラの一部として、又はカメラ本体から離れているが、カメラ本体との接続（図示なし）を通じて接続可能な付属部６４として提供される（ＧＰＳ受信機をカメラから離すことによって、カメラ本体を小さくすることは有用である）。付属部６４はまた、ＧＰＳ衛星６２からＧＰＳ信号を受信するアンテナ６６と、カメラ２４ａ又は２４ｂの視野の軸線の角度方向を導く角度位置センサー６８（コンパスや、必要であれば傾き検出装置等）とを有する。ＧＰＳプロセッサ７０から取得された緯度と経度と、カメラの視野の角度方向が、アトラクション場所へのカメラの視野方向を完全に定める。従って、位置データは、一式の特定のＧＰＳ座標と一式の角度座標である。更なる詳細は通常必要ないが、カメラからの画像の主要目標の距離を定めるために距離計も用いられ、それによってアトラクション場所の位置を完全に限定することができる。
【００３１】
追加の実施例において、テーマパークや国立公園のような多くの潜在的なアトラクション場所を提供する特定の位置内でローカルＧＰＳシステムが用いられ得る。ローカルＧＰＳシステムは、少なくとも２つの周波数源を有し、例えばカメラユーザの視野方向に設置され、カメラに関連付けられたトランシーバーからの無線信号と組み合わせ、周知の送信空間内で何らかの物体の位置を定める役割をする３つの信号の三角点を形成する。その他、三角点のために携帯電話の送信が用いられ得る。例えば、デジタルカメラを備えた携帯電話は、写真が撮影された日時を提供する。更に、携帯電話のタワーの近さに応じて三角点により、ユーザの位置が定められ得る。
【００３２】
図１６に示す更なる他の実施例において、ＧＰＳシステムは、写真訪問場所を訪れるカメラマンによって運ばれる別の記録装置２００として構成される。装置２００は、ＧＰＳ衛星から位置座標を受信するアンテナ２０３に接続されたＧＰＳ受信機２０２と、受信された座標に対応する日時情報を生成するクロック２０４と、受信日時とともにＧＰＳ座標を記録する記録装置２０６とを有する。前記の装置２００は、例えばベルトに取り付けられるもの、バックで運ばれるもの、又はそれと同様のもののような小型装置である場合がある。それは、連続して日時とＧＰＳ情報を提供しながら動作する場合があり、又は開始ボタン２０８の制御のもとで断続的に動作する場合がある。ＧＰＳ及び日時情報は、記録装置２０６の内部メモリ、及び／又は取り外し可能であり、処理サブシステム１２に配信されるメモリカード２１０に記録される。フィルム又はデジタルのいずれにおいても、カメラ２４はまた、各撮影画像に対応する日時情報を提供する日時クロック生成器を有する。撮影された画像及び対応する日時情報が、メモリカード２１の処理サブシステムに配信される、又はフィルムカメラの場合にはフィルムに記録される（例えばＡＰＳフィルムの磁気記録部に記録される）。更に他の選択肢として、カメラ２４は日時情報を作るクロック付属部を備えた使いきりカメラであり、その日時情報がフィルム又はカメラの記録装置に記録される。全ての使いきりカメラが処理サブシステム１２に届けられる。
【００３３】
図１６に示す実施例について、カメラ２４と装置２００からの日時情報が、ＧＰＳ受信機２０２からの位置情報とカメラ２４によって撮影された画像とを関連付けるために用いられる。特に、コンテンツ説明データベース１４は、写真撮影場所に関する画像を含む保存コンテンツの収集を有する。カメラ２４は、特定の写真撮影場所で画像を撮影し、その画像とともに日時情報を記録し、カメラマンによって運ばれる記録装置２００が日時及び位置情報を記録する。デジタルプロセッサ１６は、位置情報と撮影した画像及びデータベース１４に保存コンテンツとを関連付けるために、カメラ２４と記録装置２００によって記録された日時情報を関連付ける。この方法の特別な機能は、特定の写真撮影場所に関する収集物において、画像を含む保存コンテンツの一部を識別するために関連付けが用いられ得ることである。このことは、検査され、処理されなければならないコンテンツの量を減少させるのに役立つ。プロセッサ１６は、画像を含む保存コンテンツの一部と撮影された画像を処理し、撮影された画像に示される写真撮影場所の保存コンテンツを識別する。データを処理する１つの方法は、前述の画像識別技術のような、保存された画像の一部にある物体と撮影された画像の物体とを関連付け、それによって撮影された場所に示される写真撮影場所のコンテンツを識別する画像処理アルゴリズムを用いることである。最終的に、識別された写真撮影場所の保存コンテンツと撮影された画像とを関連付け、新しい画像製品を生成することによって、製品構成装置１５（図１参照）が拡張画像製品を生成する。
【００３４】
図１６に示される実施例の更に他の改良において、カメラマンによって（ＧＰＳ受信機２０２に設置された）キーパッドのような装置を介して位置情報が手動で入力され、クロック２０４からの日時情報と共に前述のように保存され得る。更に、データベースが写真撮影場所の間に位置する物についてのコンテンツを含む場合、撮影した画像及び撮影したイメージに対応するデータベースの複数の写真撮影場所に位置情報を関連付けるために、プロセッサ１６はカメラ２４と記録装置２００で記録された日時情報を関連付け得る。そして、プロセッサ１６は、複数の写真撮影場所の位置を用いて、例えば複数の写真撮影場所の間に関連する推定位置を補間し、それによって推定位置に関するデータベースに保存コンテンツを識別する。その後、製品構成装置１５が推定位置の識別された保存コンテンツと撮影された画像とを関連付けることによって拡張画像製品を作り、新しい画像製品を作る。この処理は、全く写真撮影場所に関係しないコンテンツにも使え、カメラマンの旅行中に直面したが、画像が撮影されていない写真撮影場所にも使える。時間情報で関連付けが行われる可能性があることに留意すべきであり、このことは日時情報への参照が行わる時がわからなければならない。
【００３５】
図４は、ユーザ／カメラマンによって撮影された画像にコンテンツを追加する処理ステップを示したものである。最初のステップＳ１００は、写真撮影場所のデータベースを作ることであり、一般的に特定の地理的領域で、又は公園内で又は都市内で又は旅行中に特定の活動に関連して行われる。コンテンツは多様な情報源から収集され、ステップＳ１０２において、特定の写真撮影場所についての有意なコンテンツでデータベース１４が構成される。特定のコンテンツは、他の人よりある人に関連性が深い場合がある。このことは、カメラ（図２）の個人ファイル５２に反映される。例えば、ある人は他の人よりアトラクション場所の歴史面に更に興味を有する場合があり、個人ファイルはその興味を反映する。従って、ステップＳ１０４において、個人ファイルに基づいて興味のあるコンテンツを毛呈するために自動フィルタが用いられ得る。ステップＳ１０６において、処理サブシステム１２は、カメラ２４ａ又は２４ｂによって取得された位置データを利用し、訪問した写真撮影場所を決定する。
【００３６】
処理サブシステム１２は、多様な技術を利用し、位置データの種類に応じて訪問した写真撮影場所を決定し得る。位置データが通信ステーション２２からカメラに送信された実際のアトラクション場所のＩＤコードである場合、プロセッサ１６は適切なアトラクション場所の参照リストとその場所のＩＤ（コンテンツデータベース１５の一部である場合がある）にアクセスし、送信された場所のＩＤと参照リストとを合致させて訪問した写真撮影場所を決定する。位置データが、場合によっては角度座標によって拡張された一式のＧＰＳ座標、又はローカルの三角点で取得された座標である場合には、プロセッサ１６は、その座標とデータベースの所定のアトラクション場所の座標とを比較し、訪問した写真撮影場所を決定する。同じＧＰＳ座標から１つ以上のアトラクション場所を見ることができる場合には、角度座標が必要となる場合がある。
【００３７】
訪問した写真撮影場所を知ることにより、デジタルプロセッサ１６はコンテンツデータベース１４にアクセスし、撮影された写真に追加できるコンテンツの可能性を決定する（ステップＳ１０８）。（ユーザがデータベース１４から写真に追加されるコンテンツの特定の物を決めることを可能にするために、例えばモニター１７の使用からの最適な入力を利用して、オプションのステップＳ１１０が使用される。）最後にステップＳ１１２において、ユーザ製品（写真、ピクチャーＣＤ、アルバム、カスタマイズされたＣＤ又はＤＶＤ、又はそれと同様のもの）にコンテンツを追加することによって、製品構成装置１５で拡張画像製品１８が構成される。例えば、共通出願人による米国特許第６，２８８，７１９号と第６，３６２，９００号に開示された方法に従って写真アルバムが自動的に作られる場合がある。前記の双方の文献とも“写真アルバムを構成するシステム及び方法（Ｓｙｓｔｅｍ  ａｎｄ  Ｍｅｔｈｏｄ  ｏｆ  Ｃｏｎｓｔｒｕｃｔｉｎｇ  ａ  Ｐｈｏｔｏ  Ａｌｂｕｍ）”という題名であり、参照として取り込まれる。
【００３８】
図１に示す通り、拡張写真システムを用いるためのオンライン登録８０の準備がある。更に、ローカルの登録とレンタルカメラ８４を提供するローカルの登録サイト８２が存在する。ローカルの登録は、データ端末８６を通じて入力され、それを通して個人情報が入力され得る。例えば、個人プロフィールデータ８８がこのときに入力され得る。また、オンライン登録者がローカルの登録サイト８２を訪れてレンタルカメラを受け取る場合がある（レンタルはオンラインで用意され得る）。
【００３９】
図５は、開示された写真システムの処理を示したものであり、オンライン登録で始まる。ステップＳ１２０において、ユーザがサービスをオンラインで、例えばインターネットを通じて登録し、名前や住所や電子メールアドレス等の個人情報を入力する。その後、ユーザがローカルの登録サイト８２のような主要サイトに来て（ステップＳ１２２）、レンタルカメラの場所８４でカメラを受け取る。その後ステップＳ１２４において、ユーザがアトラクション場所２０と通信ステーション２２が存在し得ない他の場所の写真を撮影する。アトラクション場所の訪問の終わりに、ステップＳ１２６において、ユーザが処理サブシステム１２が設置され得る主要サイト（例えばローカルの登録サイト８２）に戻る。ここで、希望する拡張画像製品１８を処理し、選択するために、ユーザはカメラ２４ａ又は２４ｂを返却する。（その他、ステップＳ１２８において、訪問の前に、若しくは訪問中の移動オンライン接続を通じて、ユーザが希望製品をオンラインで選択し得る。）ステップＳ１３０において、画像及び位置情報（記録部２３）が処理サブシステム１２に提供される。製品が製品構成装置１５によって構成され、プロセッサ１９によって生成され、現場で又は電子メールや郵便サービスやそれと同様のものを通じてユーザに提供される（ステップＳ１３２）。
【００４０】
図６は、開示された写真システムの処理を示したものであり、オンサイト登録で始まる。ステップＳ１４０において、ユーザがローカルの登録サイト８２に到着し、イベントを登録し、カメラを借りる。オンサイト登録以外は、この処理は図５の処理と類似する。オンライン登録者にも利用可能である１つの違いは、ステップＳ１４２に示されている。ステップＳ１４２において、登録時に入力された情報は、追加のコンテンツがフィルタリングされることを可能にする個人情報を有する、すなわち、コンテンツデータベース１４から特定のコンテンツを選択するために用いられ得る家族の年齢や個人の興味や住所等の特定の個人情報を有する。残りのステップは、図５について説明したステップと実質的に同じである。
【００４１】
多様な形式の拡張写真製品１８が本発明に従って作られ得る。図１に示す通り、２つ（以上）の写真を備えたアルバム１８ｂが作られ得る。その写真のうちの１つはユーザ／カメラマンによって撮影されたものであり、他のものはコンテンツデータベース１４から選択された持ち合わせの写真である。図７は、ユーザによって撮影された画像に関する持ち合わせの写真をデータベース１４から選択する処理を示したものである。この特定の用途において、コンテンツデータベース１４は特定のアトラクション場所に関連する持ち合わせの画像で構成されている。画像は、例えば異なる歴史的観点や、特定の時間若しくは異なる時間や、芸術家の演出や、同じアトラクション場所の現在の専門家の撮影を表す場合がある。ステップＳ１５０において、ユーザがコンテンツデータベース１４に保存された参照写真に対応するアトラクション場所２０のうちの１つの写真を撮影する。ユーザが撮影した画像が処理サブシステム１２で処理されると、ステップＳ１５２でデータベースからのコンテンツの参照写真の場面に対して自動的に処理される。ステップＳ１５４において、特定の効果が加えられ、フェードや、移動や、リサイズ等の画像同士の差分又は変更を強調する。ステップＳ１５６において、日付や重要性やあまり知られていない事実等のような対応する情報がオプションで画像に添付され又は追加されて、撮影された画像と参照画像がお互い隣に位置するようにアルバムが作られる。
【００４２】
図７に示す処理の要件は、ユーザが参照画像を有する場所の写真を撮影すること（Ｓ１５０）と、拡張製品１８において撮影された画像と参照画像が魅力的な方法で提示されること（Ｓ１５６）であることがわかる。処理（ステップＳ１５４）と特定の効果（ステップＳ１５６）の中間の段階は好ましいが、オプションである。この技術の特定の例が図８に示されており、歴史公園（例えば戦場）の列車発着場所の現在撮影した画像９０と、１世紀以上前の同じ場所のアーカイブされた持ち合わせの写真９２である。現在撮影された写真はアーカイブされた写真に合うように自動処理され（ステップＳ１５２）、対応する情報９４が写真に加えられている（ステップＳ１５６）。本発明の機能には必ずしも必要ではないが、２つの（過去と現在の）写真を共通のアルバムのページ９６に提示することが美的上好ましい場合がある。
【００４３】
図９は、アトラクション場所に関するコンテンツデータを用いて、ユーザの写真からアルバムを作る技術について説明したものである。まずステップＳ１６０において、ユーザの写真が処理サブシステム１２に提供される。ステップＳ１６１において、日時と場所によって画像が分類され、処理サブシステム１２によって受信された記録部２３に含まれる。その後ステップＳ１６２において、前述の自動アルバムの特許（米国特許第６，２８８，７１９号と第６，３６２，９００号）に説明される技術を用いて、特定の分野の画像が論理ページに分類される。記録部２３に組み込まれ得る、又はオンライン登録８０若しくはローカルの登録８２を通じて取得され得るユーザプロフィールデータ８８が、ステップＳ１６３で検査され、写真に最も適切なコンテンツを決定する。例えば、ユーザの年齢は若者向けの情報又は大人向けの情報を決める場合がある。ステップＳ１６４において、ユーザの画像がデータベース１４からのコンテンツと組み合わせられ、特定のページに最適化され、構成される（ステップＳ１６５）。最後に、ページが印刷され、アルバムが作られ、ユーザに届けられる（ステップＳ１６６）。
【００４４】
図１０は、アトラクション場所に関するコンテンツデータを用いて、ユーザの写真からＣＤ又はＤＶＤ製品１８ｃを作る技術を説明したものである。最初のステップＳ１７０−Ｓ１６４は、図９に関して説明したステップＳ１６０−Ｓ１６４と同様であるが、ＣＤ（又はＤＶＤ）作成プログラムがページではなくデータのフォルダを作るため、ステップＳ１７２で特定の分野の画像が（ページの代わりに）ファイルのフォルダに分類されるという拡張点が異なる。ＣＤ（又はＤＶＤ）は、多様なプレゼンテーションの提供へのアクセスを提供するため、ステップＳ１７５において、ユーザに利用可能なプレゼンテーションのオプションを示すプログラムのメニューのシステムと画像及びコンテンツが組み合わせられる。その後、ステップＳ１７６において、現在撮影された個人写真と、コンテンツデータベース１４から抽出された画像コンテンツとから、ＣＤ又はＤＶＤが作られる。複数のプレゼンテーションのオプションが作られ、適切なメニュー入力をクリックすることによって選択され得るという意味でＣＤ又はＤＶＤは対話式であることが更にわかる。
【００４５】
ＣＤ又はＤＶＤの自動作成システムにおいて、品質又は何らかの他の程度を考慮する限りでは、画像は受け入れ得るものであったとしても、ユーザによって撮影された写真のいくつかを含めたくない場合がある。図１５に示す方法により、ユーザが対話式のＣＤ又はＤＶＤから表示に含めたくない画像を選択することが可能になる。特に、図１５のステップ１９０において、ユーザが特にコンピュータで使うための対話式ＣＤ又はＤＶＤを受け取る。ステップ１９２において、再生されるときにＣＤ又はＤＶＤに含めたくない個人画像をユーザが選択する。ステップ１９４において、希望しない画像は再生不可能としてラベルが付され、その情報が特定のファイル（例えば前記画像へのポインタを含むファイル）に保存され、ユーザのコンピュータのハードドライブに保存される。ステップ１９６において、対話式ＣＤ又はＤＶＤがコンピュータに入れられると、含まれずに表示されない画像のために、表示プログラムがそのファイルを検査する。
【００４６】
図１１Ａは、印刷されたコンテンツ情報を裏側に備えたステッカーを有するように拡張された写真プリントを作る技術について説明したものである。最初のステップＳ１７７は、図９に示すステップＳ１６０−１６４と同じである。しかし、対応するアトラクション場所の画像に印刷又は表示されたコンテンツを構成する代わりに、処理ステップＳ１７８においてコンテンツがステッカーに印刷され、ステップＳ１７９においてステッカーが自動的に現像者によって写真の裏側に付けられる。図１１Ｂに示す通り、ステッカー９８はプリント９９の裏側からその角９８ａにより手動ではがすことができる。このことは、ユーザがスクラップブックのようなユーザ独自のデザインの用途で写真を使用する場合や、特定の用途でユーザが希望するときは常に説明のステッカーが貼られる場合に有用である。
【００４７】
図１２Ａと１２Ｂは、デジタルカメラ２４ａ又はフィルムカメラ２４ｂのいずれかで、アトラクション場所２０に関するメタデータを収集する記録装置として（図１に示すようにこの機能がカメラ２４に組み込まれる代わりに）用いられ得る付属装置１００について説明したものである。図１２Ａにおいて、付属装置１００は、カメラ２４の三脚接続１０４に接続するネジを備えた細長い装置として示されている（図１２Ｃは付属装置１００の底面図であり、三脚ネジ接続１０２を表している）。指回し式円形板１０６がカメラに三脚ネジ１０２を取り付けるために用いられる。付属装置１００は、アトラクション場所２０のステーション２２と通信するためのＲＦトランシーバー１０８を有する（トランシーバー１０８はコンピュータ／キオスクと通信し、処理サブシステム１２に位置の記録をダウンロードする無線接続としても用いられ得る）。
【００４８】
アトラクション場所２０からの位置データがトランシーバー１０８で収集され、付属装置１００のメモリに保存される（このメモリは図示されていないが、図２に示すカメラのメモリと同様である）。カメラ２４によって撮影された画像データが（カメラがフィルムカメラかデジタルカメラかに応じて）フィルム１１０又はメモリカード１１２のいずれかに保存される。いずれの場合であっても、画像と付属装置１００によって集められた位置データとの間の関連を維持する必要がある。本実施例において、フィルム１１０とメモリカード１１２に取り付けられた短距離ＲＦ送信機１１４によって、この関連付けが提供され、前記短距離ＲＦ送信機１１４はフィルム又はメモリカードのＩＤ番号を有しており、それを送信する。送信装置は、送信機１１４から短距離ＲＦを受信する受信機を有する。
【００４９】
付属装置の他の要件は、位置データを記録する日時と、位置データに関連付けるフレームとがわかることである。フィルムカメラ２４ｂの場合、付属装置１００に微小電気機械システム（ＭＥＭＳ）の動作検出装置１１８が備えられ、カメラのフィルム送り機構の動きを検出し、特定のフレーム送りと同期して位置データを受信する準備を指示する。デジタルカメラ２４ａの場合、付属装置１００は、ＬＣＤ情報ディスプレイ１２０からなるユーザインタフェースと、メニューボタン１２２と、情報を回転させて、その他情報を訂正又は特定するボタン１２４とを有する。この機能は、デジタル撮影画像のフレーム列と、アトラクション場所２０からの位置データの提供とを同期するために用いられる。
【００５０】
最後に、付属装置１００によって集められたデータ（位置データと、フィルム又はメモリカードのＩＤと、各画像と位置データの同期とを含むデータ）が、出力インタフェースを通じて処理サブシステムに提供されなければならない。例えば、前記情報はＲＦトランシーバー１０８を通じて、又はＵＳＢコネクタのようなコンピュータ接続１２６を通じてダウンロードされ得る。更に、処理サブシステム１２がドッキング装置を有する場合には、図１２Ｃのカメラ付属装置の底面に示すようなドッキング接続１２８を通じて、データがダウンロードされ得る。
【００５１】
図１３は、付属装置１００を用いる技術、特にフィルムカメラの場合について示したものである。まずステップＳ１８０において、例えばローカルの登録サイト８２で、フィルム容器に取り付けられた短距離ＲＦ送信機１１４を有するフィルムが購入される。ステップＳ１８１において、フィルムがカメラに入れられ、収集装置１００がカメラに取り付けられる。ＬＣＤディスプレイ１２０を利用してカメラのフィルムカウンター／タイマーを付属装置１００のカウンター／タイマーと同期させることが好ましい。ユーザがアトラクション場所で付属装置を備えたカメラを持ち運び（ステップＳ１８２）、いくつかの写真を撮影する（ステップＳ１８３）。写真が撮影されると、ステップＳ１８４において、ユーザの作用には全く関係なしにＲＦ信号が通信ステーション２２からトランシーバー１０８によって受信される。その間、フィルム送りがＭＥＭＳ装置１１８によって検知され、位置データがフレーム番号又は画像番号への参照と共に付属装置１００のメモリに記録される。全ての画像が記録されると、カメラがサイト８２又は処理サブシステム１２に戻され、トランシーバー１０８、コンピュータ接続１２６又はドッキング接続１２８を通じて、位置データがダウンロードされる（ステップＳ１８５）。希望の製品が作られ、ユーザに与えられる（ステップＳ１８６）。デジタルカメラの付属装置１００の使用においても同様の処理が続けられる。
【００５２】
図１４に示す使いきりカメラの場合、図１２Ａに示す付属装置１００が、使いきりカメラ１３４を受け入れる側面の開口部１３２を有する柔軟なスリーブ１３０の底面部に納まるように構成され得る。カメラ１３４と近接して付属装置１００を保持するスリーブ１３０はまた、カメラ１３０のファインダーとフラッシュとレンズとシャッターボタンのそれぞれに対応する穴１３６、１３８、１４０、１４２を有する。（スリーブの柔軟性を考慮すると、シャッターボタンをオス場所がユーザに明らかであれば（スリーブが透明である場合、又はボタンの位置に印がある場合）、その穴１４２はなくてもよい。）短距離ＲＦ送信機１１４が使いきりカメラ１３４に取り付けられる。操作に際して、カメラ１３４がスリーブ１３０に入れられ、取り出し口１４４が閉じられ、図１３に関して説明したステップで動作が続く。
【００５３】
収集装置をフィルムのコマ数に対してテープの時間に同期することのみで、同じ手段を用いて前述のデータ収集技術がビデオカメラに適用され得る。
【００５４】
要約すると、本発明の多様な実施例に従って提供される拡張写真製品には、制限なく以下のいくつか又は全てが含まれる。
・追加の関連画像（例えば、良い天候で撮影された写真、その場所に関する歴史的写真、その場所の芸術家の演出、その場所の専門家の撮影）
・追加の情報（その場所についてのテキスト、その場所の地図、その場所に関するロゴやグラフィック、状態）
・パノラマ及び３６０度写真（例えば、ユーザの画像に歴史的パノラマを入れること）
・仮想現実製品（例えばアップルコンピュータのＱｕｉｃｋＴｉｍｅ  ＶＲ（商標）のようなプラットフォームの利用）
・映画（その場所からの映画、第三者の映画、完全に第三者の所有物）
・その場所の歴史的出来事の再現（写真、映画）
・個人写真の拡張（自動処理、自動ズーム、多様な部分のぼやけ／明瞭化、特定の効果、歴史的関心のある部分のハイライト）
・現在ユーザが撮影した画像と、類似の昔の場所からの歴史的画像との違いを示す“過去と現在”の写真／アニメーション
・不要な写真が再生されないようにすることを可能にするＣＤ又はＤＶＤの機能
撮影された画像に関する位置情報と他の（持ち合わせの）写真で、ユーザの写真から自動的に３６０度のパノラマ写真を作り、ユーザが撮影した（部分的な）パノラマ写真の不足部分に保存された画像を埋め合わせることが可能である。更に、写真内の物を自動的に認識し、写真の主要部分を自動的に識別し、又はピクチャーＣＤのようなデジタル表示に他のコンテンツを自動的に取り付けることが可能である。この物の認識はまた、鮮明さ、特定の物のコントラスト、カラーの強化、及び同じ写真から複数の写真を作る機能（例えばフォーカスが異なる領域）という一般的な画像拡張を可能にする。それはまた、現在撮影した写真と（古風な写真や芸術家の演出を含む）過去の写真との自動比較を可能にする。
【００５５】
処理の場所１２は、カメラのサブシステム１０の外部であり、それから離れているものとして示されているが、本発明のいくつかの実施例において、その処理は、カメラ２４と共有される、又は完全に含まれる場合がある。例えば、写真撮影場所を分析して処理する動作は、プロセッサ１６によって実行される代わりに、カメラ２４のプロセッサ、例えばデジタルカメラ２４ａのマイクロプロセッサ４２で処理される場合がある。このため、カメラはデータベース１４にアクセスする必要がある。このことは、ネットワーク接続（例えばインターネット）や処理サブシステム１２へのテザー接続のような何らかの従来の手段で、データベース１４にカメラを接続することによって行われ得る。その他、カメラ２４（メモリ４８）にデータベースが含まれ得る若しくはダウンロードされ得る、又はデータベースがカメラ２４に取り入れられる取り外し可能メモリ（図１に示す取り外し可能メモリ２１等）に保存され得る。更に、拡張写真製品の生成は、マイクロプロセッサ４２によってカメラ２４の内部で行われ、無線トランシーバー３０又は同様の形式の接続を通じて外部の受信機に送信され得る。このことは、製品がインターネット配信を目的とする場合に特に便利である。その他、製品構成装置１５の機能がマイクロプロセッサ４２に含まれ、外部のプリンタ、ＣＤ若しくはＤＶＤライター、又はそれと同様のものとの適切な接続を通じて、処理された製品コードがカメラ２４によって提供され得る。前記実施例において、写真撮影場所の識別がカメラ２４で行われ、写真撮影場所に関するコンテンツがカメラの内部でカメラ自体によってアクセス可能であるため、カメラのプロセッサ４２は、データベースから現場に特定の製品を識別し、カメラマンに製品の選択を、例えばＬＣＤ５０に提示される適切な選択メニューとして提示することが可能である。
【図面の簡単な説明】
【００５６】
【図１】本発明による周知の写真撮影場所で撮影された画像から拡張写真製品を作る写真システムの図とブロック図の組み合わせである。
【図２】図１に示す写真システムで用いられるデジタルカメラのブロック図である。
【図３】図１に示す写真システムで用いられるフィルムカメラのブロック図である。
【図４】コンテンツのデータベースを作り、それに追加する方法を示したフローチャートである。
【図５】オンライン登録を含む、本発明によるシステム及び方法とのユーザインタフェースの方法を示したフローチャートである。
【図６】オンサイト登録を含む、本発明によるシステム及び方法とのユーザインタフェースの方法を示したフローチャートである。
【図７】現在撮影された画像と参照（持ち合わせの）画像とから拡張写真製品を作る方法を示したフローチャートである。
【図８】現在撮影された写真と過去の関連する持ち合わせの画像（当時の写真と今の写真）について、図７の方法に従って作成された拡張写真製品の例である。
【図９】ユーザの写真からアルバムを作る方法を示したフローチャートである。
【図１０】ユーザの写真からＣＤ又はＤＶＤを作る方法を示したフローチャートである。
【図１１Ａ】印刷の裏に付き、コンテンツデータと共に印刷される粘着ステッカーを作る方法を示したフローチャートである。
【図１１Ｂ】印刷の裏に付き、コンテンツデータと共に印刷される粘着ステッカーを作る製品の例である。
【図１２Ａ】従来の（フィルム）カメラ又はデジタルカメラに付けられ、写真撮影場所に関するメタデータを集めるデータ収集システムの図である。
【図１２Ｂ】従来の（フィルム）カメラ又はデジタルカメラに付けられ、写真撮影場所に関するメタデータを集めるデータ収集システムの図である。
【図１２Ｃ】従来の（フィルム）カメラ又はデジタルカメラに付けられ、写真撮影場所に関するメタデータを集めるデータ収集システムの図である。
【図１３】図１２に示すシステムを用いる方法を示したフローチャートである。
【図１４】使いきりカメラに図１２Ａに示す取り付けを用いることを示した図である。
【図１５】図１０のフローチャートに従って作られたＣＤ又はＤＶＤに記録された画像のための画像消去オプションを示したフローチャートである。
【図１６】本発明による周知の写真撮影場所で撮影された画像から拡張写真製品を作る追加の実施例の図とブロック図の組み合わせであり、場所のデータのコレクションが画像データから離れている図である。
【符号の説明】
【００５７】
１０  取得サブシステム
１２  処理サブシステム
１４  データベース
１５  製品構成装置
１６  デジタルプロセッサ
１７  モニター
１８  拡張画像製品
１８ａ  プリント
１８ｂ  アルバム
１８ｃ  ＣＤ又はＤＶＤ
１８ｄ  オンライン製品
１９  実行プロセッサ
２０ａ，２０ｂ，２０ｃ  アトラクション場所
２１  メモリカード
２２ａ，２２ｂ，２２ｃ  無線通信ステーション
２３  記録部
２４ａ  デジタルカメラ
２４ｂ  フィルムカメラ
２６  トランシーバー
２６  アンテナ
２７  位置メモリ
２８  レンズ部
２８ａ  視野
３０  トランシーバー部
３１  ユーザインタフェース
３２  赤外線発信装置
３４  赤外線検出装置
３６  ＩｒＤＡインタフェース
３８  ロジック制御部
４０  通信プロセッサ
４２  マイクロプロセッサ
４４  ＣＣＤ
４６  Ａ／Ｄ変換器
４８  メモリ
５０  ＬＣＤ
５２  個人ファイル
５４  フィルム
５６  磁気部
５８  動作制御インタフェース
６０  無線接続
６２  ＧＰＳ衛星
６４  ＧＰＳ付属部
６６  アンテナ
６８  角度位置検出装置
７０  ＧＰＳプロセッサ
８０  オンライン登録
８２  ローカルの登録サイト
８４  レンタルカメラ
８６  データ端末
８８  個人プロフィールデータ
９０  現在撮影した画像
９２  アーカイブされた持ち合わせの写真
９４  対応する情報
９６  共通のアルバムのページ
９８  ステッカー
９８ａ  角
９９  プリント
１００  付属装置
１０２  三脚ネジ
１０６  指回し式円形板
１０８  トランシーバー
１１０  フィルム
１１２  メモリカード
１１４  短距離ＲＦ送信機
１１６  受信機
１１８  ＭＥＭＳ装置
１２０  ＬＣＤ情報ディスプレイ
１２２  メニューボタン
１２４  ボタン
１２６  コンピュータ接続
１２８  ドッキング接続
１３４  使いきりカメラ
１３６、１３８、１４０、１４２  穴
１４４  取り出し口
Ｓ１００−Ｓ１７６  ステップ
２００  別の記録装置
２０２  ＧＰＳ受信機
２０３  アンテナ
２０４  クロック
２０６  記録装置
２０８  開始ボタン
２１０  メモリカード
【図１】
2004289825.tif 000003
【図２】
2004289825.tif 000004
【図３】
2004289825.tif 000005
【図４】
2004289825.tif 000006
【図５】
2004289825.tif 000007
【図６】
2004289825.tif 000008
【図７】
2004289825.tif 000009
【図８】
2004289825.tif 000010
【図９】
2004289825.tif 000011
【図１０】
2004289825.tif 000012
【図１１Ａ】
2004289825.tif 000013
【図１１Ｂ】
2004289825.tif 000014
【図１２Ａ】
2004289825.tif 000015
【図１２Ｂ】
2004289825.tif 000016
【図１２Ｃ】
2004289825.tif 000017
【図１３】
2004289825.tif 000018
【図１４】
2004289825.tif 000019
【図１５】
2004289825.tif 000020
【図１６】
2004289825.tif 000021